(57)【特許請求の範囲】
【請求項１】
刃受板(20)とパイプ状の穿孔刃(30)との間で１枚以上の紙に閉じ孔を形成する孔明け装置(10)であって、
前記刃受板(20)は、係脱凹部(22a) が形成されたフランジ部(23)を一端に備えると共に他端に円盤状本体(21)を備えた支持軸(22)を有し、
前記孔明け装置(10)の本体は、前記支持軸(22)を嵌挿支持する嵌脱部(24)と、前記フランジ部(23)を収容するフランジ収容空間(14c) と、を有し、
同フランジ収容空間(14c) に形成されて前記係脱凹部(22a) に係脱する係脱突起(25b-1) と、前記係脱凹部(22a) に向けて弾性的に付勢される係脱部材(25)とを、一端において前記係脱部材(25)に支持されて他端において前記孔明け装置本体に設けられた操作ノブ(26)を支持する揺動片(27)を介して操作することで、前記刃受板(20)のフランジ部(23)が係脱されることを特徴とする紙の孔明け装置。
【請求項２】
前記係脱部材(25)は、大径の円筒部(25a) と小径のロッド部(25b) とが段差面を介して同一直線上に配されてなり、
前記刃受板(20)の係脱は、中間位置を揺動支点として揺動し、一端が前記係脱部材(25)の段差面に嵌着して弾性的に支持されるとともに、その他端が前記孔明け装置本体に取り付けられた操作ノブ(26)を弾性的に支持してなる揺動片(27)を操作することによって行なわれるようにしたことを特徴とする請求項１記載の孔明け装置。
【発明の詳細な説明】
【技術分野】
【０００１】
本発明は、刃受板とパイプ状の穿孔刃との間で１枚以上の紙に閉じ孔を確実に安定して形成できる紙の孔明け装置に関する。
【背景技術】
【０００２】
従来から樹脂製円盤状の刃受板と金属製パイプ状に形成した穿孔刃との間で１枚以上の文書紙等を挟み、同文書紙等に閉じ孔を明けることのできる各種形式の紙の孔明け装置が用いられている。この種の孔明け装置の一つとして強力パンチが提案されている。
【０００３】
この強力パンチの一例として、例えば特開平９−１０９０９８号公報に開示された紙の孔明け装置は、操作ハンドルを介して基台上に上下移動可能に昇降体を支承し、同昇降体に穿孔刃を固定支持している。前記基台上に不動状態で載置固定された紙載置台には嵌入凹部が形成されており、前記穿孔刃の垂直線に対して偏位させた状態で前記嵌入凹部内に刃受板を回転可能に嵌入支持している。前記穿孔刃の刃先部が前記刃受板に接近・離間動作する位置関係に両者を配置している。
【０００４】
また、前記刃受板の周縁にはラチェット歯が形成されており、同ラチェット歯に係合する作動爪は、操作ハンドルによる昇降体の下降時には、操作ハンドルの回動と連動する連動機構を介して前記ラチェット歯の回転方向とは反対方向に進み、操作ハンドルによる昇降体の上昇時には、前記連動機構を介して作動爪が前記ラチェット歯に噛合して前記刃受板を１ピッチ分だけ回転させるように構成されている。
【０００５】
この紙の孔明け装置では、操作ハンドルを作動させる毎に前記刃受板と前記穿孔刃との接触位置を変更することができる。このため、穿孔刃が常に刃受板の同一箇所に当接して環状抜き溝を刃受板に生じさせてしまうのを防止することができ、多数枚の紙に文書の閉じ孔を形成する上で、最下位の紙が前記穿孔刃の刃先部によって前記刃受板に生じた環状抜き溝内に食い込んでしまい、最下位の紙の取出しができなくなるという不具合を解消することができるというものである。
【０００６】
また、紙の孔明け装置の他の一例として、例えば特開２０００−２３３３９８号公報には、操作ハンドルを介して基台上に上下移動可能に昇降体を支承し、同昇降体に穿孔刃を挿脱可能に構成した紙の孔明け装置が開示されている。同公報に開示された紙の孔明け装置は、前記昇降体の下部に昇降方向と直交する水平方向に向けて挿脱開口が形成されており、前記穿孔刃を嵌着支持する穿孔刃支持体が前記挿脱開口に挿脱可能に嵌挿支持されている。
【０００７】
同穿孔刃支持体は、前記挿脱開口の内部上面に向けて弾性的に上下移動する係脱部材を有しており、同係脱部材は前記挿脱開口の内部上面に形成された係脱凹部に係脱する係脱爪と同係脱爪の反対側に延びる操作片とを有している。前記係脱部材がばね力に抗して前記挿脱開口に嵌挿されると、前記穿孔刃支持体の嵌挿限位置で前記係脱部材が上方に弾み戻り、前記係脱爪の押し上げ力が前記係脱凹部に受け止められ、前記係脱凹部と前記係脱爪との係合がなされる。
【０００８】
また、紙の孔明け装置の更に他の一例として、例えば特開平６−１９０７９４号公報には、紙載置台上に配された刃受板に向けて接近・離間するパイプ状穿孔刃の上端側筒内から排出される紙掘削屑の落下を防止できる紙の孔明け装置が開示されている。同公報に開示された紙の孔明け装置は、操作ハンドルを介して基台上に上下移動可能に昇降体を支承し、同昇降体に屑収集容器が脱着可能に締付固定されるとともに、同屑収集容器の底部に前記穿孔刃の基端部が脱着可能に締付固定されている。同穿孔刃の基端側開口は、前記屑収集容器の内部に連通して配されている。
【特許文献１】特開平９−１０９０９８号公報
【特許文献２】特開２０００−２３３３９８号公報
【特許文献３】特開平６−１９０７９４号公報
【発明の開示】
【発明が解決しようとする課題】
【０００９】
上記特許文献１に開示された従来の紙の孔明け装置は、既述のとおり、操作ハンドルから下方に離れた円盤状刃受板が紙載置台の嵌入凹部内に自動回転可能に嵌入支持されるとともに、昇降体に固定支持された穿孔刃が前記刃受板に相対移動可能に設けられている。このため、その構造上、操作ハンドルの回動操作に伴い刃受板を所定角度で自動回転させるにあたり、操作ハンドルと刃受板とを連動する複雑な連動機構を設けなければならなくなる。
【００１０】
操作ハンドルと刃受板とを連動する連動機構を設けるにあたり、操作ハンドル、刃受板や連動機構の各部材間の相互位置の設定や位置合わせなどを高度に調整しなければならない。その設定寸法や組立調整の精度が得られない場合には、操作ハンドルから離れた刃受板に作動力を有効に作用させることができず、操作ハンドル、刃受板や連動機構を同時に且つ円滑に安定して作動させることが困難となる。また、操作ハンドルと刃受板とを連動する複雑な連動機構を設けなければならないため、部品点数の増加に伴い組立費や製作費が著しく高騰する原因につながるという問題点を有している。
【００１１】
一方、上記特許文献２に開示された従来の紙の孔明け装置は、既述のとおり、昇降体の挿脱開口の内部上面に向けて弾性的に上下移動する係脱部材の係脱爪を前記挿脱開口の内部上面に形成された係脱凹部に係脱するため、前記係脱爪の係合面と前記係脱凹部の係合面とが穿孔刃支持体の挿入方向に対して直交して配されることになる。このため、その構造上、昇降体及び穿孔刃支持体の係合状態を解除すべく、前記係脱爪の係合面の尖端を乗り越える分だけ下方へ弾力に抗して移動させながら、前記係脱凹部の係合面を乗り越えさせようとする過大な力を前記係脱爪の反対側に延びる操作片に直接作用させなければならなくなる。
【００１２】
このときの前記操作片に働く前記係脱凹部の係合面との係合を外そうとする力を保ちながら、同時に前記操作片の押下力の方向と直交する引抜方向に前記穿孔刃支持体の引抜きを行わなくてはならなくなる。その結果、前記穿孔刃支持体の引抜きにあたり、前記操作片の押下方向とその方向に直交する引抜方向との二方向に段階的に操作する必要があり、穿孔刃支持体の取付操作性を著しく阻害するという不具合が発生する。
【００１３】
また、前記昇降体に対する穿孔刃支持体の引抜きに相当な力が必要となり、穿孔刃支持体の取付操作性が悪化するばかりでなく、前記係脱爪にこじれや破損、変形等が発生しやすい。一方の円盤状刃受板は、上記特許文献１に開示された従来技術のように、紙載置台の嵌入凹部内に嵌入支持するのが一般的である。このため、刃受板の交換時に、手指を使うと、刃受板を嵌入凹部内から外部に簡単に取り外せないため、その取外し作業が煩雑になり、パンチ作業を簡単に速やかに行うことができないという問題点を有している。
【００１４】
一般に、従来の紙の孔明け装置は、操作ハンドルの回動操作によりパイプ状穿孔刃の先端刃先部を、紙載置台上に載置した多数枚の紙に一気に押し当てることにより穿孔する。上記特許文献３に開示された従来の紙の孔明け装置は、既述のように昇降体に締付固定された屑収集容器の底部に穿孔刃の基端側が締付固定されるため、その構造上、それらの取付強度を十分に確保する必要があり、部品点数が大幅に増加する。このため、部品点数の増加に伴い組立費、製作費や部品費が著しく高騰するという問題点などを有している。
【００１５】
また、前記屑収集容器の底部に穿孔刃の基端側開口が前記屑収集容器の内部に連通しているため、穿孔刃の上端側筒内から排出される紙掘削屑を屑収集容器内に直接収容することができるものの、その紙掘削屑は、屑収集容器内に大量の紙掘削屑が収容されるに伴いパイプ状穿孔刃の周辺部分に局部的に偏って積み重ねられながら次第に収容される。
【００１６】
このため、屑収集容器内に紙掘削屑が満杯になる前に前記穿孔刃の上端側開口を覆って、同穿孔刃内に紙穿孔屑が詰まりやすくなる。その結果、屑収集容器の内部を有効に使用することができないばかりでなく、穿孔刃内に詰まった紙掘削屑による穿孔刃の変形や破損などにつながりやすくなり、穿孔刃の機能を著しく阻害する原因につながる。
【００１７】
また、上記特許文献１に開示された従来技術のように、基台の両側端部に出し入れ自在に配された一対のサイドゲージラックの出側端部に対して直交する起立姿勢で紙当て部材が固着支持されている。この構成は、穿孔すべき紙の大きさに応じて紙の中心を位置決めして穿孔することができるものの、紙の大きさにかかわらず、紙の上端又は下端を基準として同一の穿孔位置を選択して孔を形成することができない。このため、所望の整理形態をもってファイルに書類を整理してつづり込むことが難しくなる。
【００１８】
このように、前述の各特許文献１〜３に開示された従来の技術は、穿孔刃や刃受板の取付性、操作性を阻害するという問題点、屑収集容器内に溜まった紙掘削屑によってパイプ状穿孔刃の機能を阻害するという問題点、異なる大きさの紙の上端又は下端に同一の穿孔位置を正確に設定できないという様々な問題点を有している。
【００１９】
このため、簡単な構造でありながら、紙の穿孔機能、穿孔刃や刃受板の取扱機能、紙穿孔屑の排出機能、穿孔位置の調節機能などの向上が強く要求される。この要求に応えられれば、紙の孔明け装置の高品質化や低コスト化が実現できるようになる。
【００２０】
本発明は、上記課題に対してなされたものであり、構造が簡単で安価であり、紙の穿孔機能、穿孔刃や刃受板の取扱機能、紙穿孔屑の排出機能、穿孔位置の調節機能に優れ、これらの機能を安定して確保しながら、高品質化や低コスト化が実現可能である紙の孔明け装置を提供することを目的としている。
【課題を解決するための手段】
【００２１】
請求項１に係る発明は、刃受板(20)とパイプ状の穿孔刃(30)との間で１枚以上の紙に閉じ孔を形成する孔明け装置(10)であって、前記刃受板(20)は、係脱凹部(22a) が形成されたフランジ部(23)を一端に備えると共に他端に円盤状本体(21)を備えた支持軸(22)を有し、前記孔明け装置(10)の本体は、前記支持軸(22)を嵌挿支持する嵌脱部(24)と、前記フランジ部(23)を収容するフランジ収容空間(14c) と、を有し、同フランジ収容空間(14c) に形成されて前記係脱凹部(22a) に係脱する係脱突起(25b-1) と、前記係脱凹部(22a) に向けて弾性的に付勢される係脱部材(25)とを、一端において前記係脱部材(25)に支持されて他端において前記孔明け装置本体に設けられた操作ノブ(26)を支持する揺動片(27)を介して操作することで、前記刃受板(20)のフランジ部(23)が係脱されることを特徴とする紙の孔明け装置にある。
【００２３】
請求項２に係る発明は、上記請求項１に係る発明にあって、前記係脱部材(25)は、大径の円筒部(25a) と小径のロッド部(25b) とが段差面を介して同一直線上に配されてなり、前記刃受板(20)の係脱は、中間位置を揺動支点として揺動し、一端が前記係脱部材(25)の段差面に嵌着して弾性的に支持されるとともに、その他端が前記孔明け装置本体に取り付けられた操作ノブ(26)を弾性的に支持してなる揺動片(27)を操作することによって行なわれるようにしたことを特徴としている。
【発明の効果】
【００４０】
上記請求項１に係る発明は、孔明け装置本体に刃受板のフランジ部を収容するフランジ収容空間と、同フランジ部と連通し、同刃受板の支持軸を嵌挿支持する嵌脱部とを形成するとともに、前記収容空間には前記刃受板のフランジ部と係脱する刃受板係脱部が形成されている。このため、刃受板を孔明け装置本体に向けて平行に一直線上に挿脱することができるようになり、刃受板の挿脱を常に安定して確実に行うことができる。
【００４１】
本発明の紙の孔明け装置として記載した紙の意味としては、一般的な紙に限定しているものではなく、合成樹脂等により製造されたフィルムや薄板状のシート等も包含しているものである。即ち、本発明の紙の孔明け装置で孔を明けることができるものは全て、上記した紙の概念に含まれるものとして本願明細書では記載している。
【００４２】
本装置に適用される前記刃受板係脱部の構成は、係脱部材及び係脱部材操作部からなる。
【００４３】
上記構成は、上記孔明け装置本体に係脱部材を刃受板の挿脱方向に直交する方向に揺動可能に支持して前記刃受板を弾性的に係脱するようにしている。これにより、操作ノブを前記刃受板の挿脱方向と直交する方向に操作することで、前記刃受板のフランジ部に形成された係脱凹部と前記係脱部材の係脱突起との係合が解除できる。このように簡単な構造でありながら、上記孔明け装置本体に対して前記刃受板を常に円滑に且つ安定して確実に操作することができ、その取扱性も極めて容易であり、刃受板の取付けを容易に行うことができる。
【００４４】
なお、穿孔刃の基端部を嵌着支持する孔刃支持体を、孔明け装置本体の挿脱方向に直交する方向に揺動可能に支持された係脱部の係脱部材を前記孔明け装置本体の係着部に弾性的に係脱するようにしてもよい。これによって、前記挿脱操作部の操作片を前記穿孔刃支持体の挿脱方向と同一方向に操作することにより、前記係着部と前記係脱部材の係脱部分との係合が解除できるとともに、その穿孔作業を速やかに行うことができる。
【００４６】
さらに、前記係脱部材の揺動端に、前記穿孔刃の基端部を弾接支持する弾接片を有してもよい。前記弾接片の存在により、組立部品点数を少なくすることが可能となる。また、前記穿孔刃支持体を廉価に作ることができるようになり、前記穿孔刃支持体の小型化などが達成できる。
【００４７】
また、前記穿孔刃支持体の挿脱方向に直交する方向に揺動可能に支持された揺動部材を介して前記係脱部材に弾性的に係脱するようにしてもよい。これによって、前記操作部材を前記穿孔刃支持体の抜脱方向と直交する水平方向に押圧操作することにより、前記基台と前記係脱部材との係合が解除でき、その交換作業を速やかに行うことができる。
【発明を実施するための最良の形態】
【００７０】
以下、本発明の好適な実施形態を添付図面に基づいて具体的に説明する。
図１は本発明の代表的な実施形態を示す紙の孔明け装置の要部を縦方向に切り欠いて概略的に示す全体側面図、図２は同孔明け装置の一部を構成する部品の分離した状態を示す斜視図、図３は同孔明け装置の背面を概略的に示す背面図である。
【００７１】
なお、本実施形態では、穿孔刃の基端部が基台に不動に配されるとともに、基台に昇降可能に配された昇降体を介して刃受板が穿孔刃の上端刃先部に向けて接近・離間可能に配されており、紙載置台が基台に対して常に水平な平行状態を維持して上下方向に移動する平行リンク機構を備えた紙の孔明け装置を例に挙げて説明する。
【００７２】
しかし、本発明はこれに限定されるものではなく、例えば前記平行リンク機構を排除して紙載置台が基台に固定支持されており、基台及び昇降体のいずれか一方に固定支持された穿孔刃と、昇降体及び基台のいずれか他方に固定支持された刃受板とを備えた紙の孔明け装置などに使用することができる。
【００７３】
また、本実施形態にあっては、左右一対の穿孔刃と左右一対の刃受板とを有する２孔形成用の紙の孔明け装置を例に挙げて説明するが、本発明はこれに限定されるものではなく、例えば１以上の刃受板が、対向する穿孔刃の上端刃先部に対して相対移動可能に設けられた紙の孔明け装置にも使用できるものである。
【００７４】
図１に示す装置は、円盤状の刃受板２０とパイプ状の穿孔刃３０との間で１枚以上の紙に閉じ孔を形成する孔明け装置１０を示している。同孔明け装置１０は、前後に長い直方体形をなす基台１１と、同基台１１の上部に上下移動可能に取り付けられた紙載置台１２と、同基台１１の後端部（図１の左側）に起立した左右両側一対の支持壁１３，１３と、各支持壁１３の対向面に上下移動可能に案内支持された昇降体１４と、同昇降体１４を上下移動させる略逆Ｕ字形の操作ハンドル１５とを備えている。
【００７５】
前記刃受板２０（２１〜２３）は、前記昇降体１４の左右両側壁部、すなわち図１の紙面に直交する方向の下面に配された左右両側壁部にそれぞれ形成された挿入開口２４ａ（図１０）に挿入して配されている。前記穿孔刃３０の下端は前記基台１１に固設されるとともに、その上端刃先部が前記紙載置台１２を貫通して配されている。
【００７６】
前記紙載置台１２は、図２に示すように、平面状の上壁部１２ａの長さ方向に沿った両側部の一部に同じ方向に多段に折り曲げられた略Ｕ字状をなす左右両側一対の側壁部１２ｂ，１２ｂを有している。この紙載置台１２は、その縦断面が略Ω字状をなす金属製板体からなり、その上壁部１２ａには、略横Ｃ字断面形状の金属製カバー体１６が長さ方向の前後に移動自在に配される。前記紙載置台１２の各側壁部１２ｂの対抗面間は、前記カバー体１６の左右側壁部を誘導案内する案内レール部を構成している。
【００７７】
この紙載置台１２の長さ方向に沿った後部寄りの両側端面には、前記穿孔刃３０との干渉を避けるための凹状切欠部１２ｃ，１２ｃが内方に向かい凹陥状の段差をもって形成されている。一方、前記カバー体１６の前記凹状切欠部１２ｃに対応する位置には直線状の円弧状長孔１６ａが形成されている。この円弧状長孔１６ａは、前記凹状切欠部１２ｃと同様に、カバー体１６が紙載置台１２の長さ方向に移動するときに前記穿孔刃３０との干渉を避けるための誘導案内空間を構成している。
【００７８】
前記穿孔刃３０は、図１に示すように大径円筒状の構造をもつ基端部３０ａと、同基端部３０ａに中心軸線に沿って延設された小径円筒状のロッド部３０ｂとにより構成されている。前記基端部３０ａの内径は前記ロッド部３０ｂの内径よりも大きく設定されている。同ロッド部３０ｂの上端内周面は外側に上傾斜するテーパ面によって先端が尖った刃面を形成している。この上端刃先部は紙載置台１２の前記凹状切欠部１２ｃ及びカバー体１６の前記円弧状長孔１６ａを貫通して配されている。
【００７９】
一方の前記刃受板２０は、大径の円盤状本体２１と、同本体２１の中心軸線に沿って延設された支持軸２２と、同支持軸２２の軸端部に固設されたフランジ部２３とにより構成されている。このフランジ部２３の先端は略裁頭円錐状をなしている。フランジ部２３の外周にはギア２３ａが形成されている。前記円盤状本体２１、支持軸２２及びフランジ部２３の各中心軸線は同一垂直線上に配されている。前記刃受板２０は、前記穿孔刃３０の上端刃先部に対して偏心位置に対向して配されており、垂直軸線周りに回転可能に配されている。
【００８０】
前記刃受板２０を前記穿孔刃３０の上端刃先部に向けて接近・離間動作させる接離手段として、前記刃受板２０を備えた前記昇降体１４と操作部とが備えられている。操作部として、例えばラックとウォーム機構、ボールネジとナット機構、リンク機構などの機械的な駆動機構を操作ハンドル１５の操作に連動させた連動機構として使用することができる。
【００８１】
これら以外にも、油圧、空気圧、電気による各種のアクチュエータを使用して構成することもできる。このように、操作部としては、前記刃受板２０の接近力を前記穿孔刃３０に伝達できる構造であればよく、本発明は本実施形態に特に限定されるものではない。
【００８２】
本実施形態では、操作部の一部を構成する操作ハンドル１５が各支持壁１３間に回転自在に横架支持された回転軸１５ａの露呈端部に固定支持されており、各支持壁１３の対向面間に延在する回転軸１５ａの両側部には、図３に示すように一対のピニオンギア１５ｂ，１５ｂが固着されている。前記昇降体１４には、各ピニオンギア１５ｂと噛合する左右一対の直線状のラックギア１４ａ，１４ａが固設されている。従って、操作ハンドル１５を図１における時計回りに回動させると、前記昇降体１４が各支持壁１３の対向面間に沿って下降し、操作ハンドル１５を図１における反時計回りに回動させると、前記昇降体１４が各支持壁１３の対向面間に沿って上昇する。
【００８３】
本発明の典型的な実施形態による移動手段は、図１及び図２に示すように、基台１１及び紙載置台１２の間に並列して配された左右両側に配した２組からなる一対の第１及び第２の平行リンク機構５０，５０により構成されている。２組の平行リンク機構５０はともに同様の構造からなり、一方の組の平行リンク機構５０について説明を行い、他方の組の平行リンク機構については同一の部材符号を用いることでその説明を省略する。
【００８４】
各組の平行リンク機構５０は、第１及び第２のリンク５１，５１の中間部をピン結合させて、各組のリンク５１が互いに交差してＸ字形をなす平行リンクから構成されている。これによって、紙載置台１２の上下方向への移動を基台１１に対して常に水平な平行状態に維持できるように構成されている。
【００８５】
各組のリンク５１における上下に隣接する端部の二点は、それぞれ静止対偶点として基台１１及び紙載置台１２に回動自在に枢支されている。従って、他の自由端部の二点は動対偶点となる。各組のリンク５１の動対偶点同士はそれぞれ共通の支持ロッド５２，５２に固設され、基台１１及び紙載置台１２の長さ方向に沿った左右側壁部には横長の円弧状長孔１１ａ，１２ｄが形成され、各組の支持ロッド５２の両側端部がそれぞれ前記横長の円弧状長孔１１ａ，１２ｄに長さ方向に沿って前後に摺動自在に支持されている。
【００８６】
更に、各支持壁１３間に延びる直線状のバー部材１７と紙載置台１２の後端には、平行リンク機構５０を立ち上げる戻りバネ手段として引っ張りバネ５３が介装されている。平行リンク機構５０の形態や構造などに応じて戻りバネ手段の設置位置、設置数などを適宜に設定することができ、各組のリンクの円滑な回動を保証させることができる。各組のリンクの戻りバネ手段として、例えば圧縮バネを使用することもでき、圧縮バネと引っ張りバネを個別に使用することもできる。
【００８７】
これらの平行リンク機構５０は前記刃受板２０の接近時に、昇降体１４の下降に伴って生じる刃受板２０からの押圧力によって前記紙載置台１２を下降させると、紙載置台１２は同紙載置台１２に載置した図示せぬ任意の枚数の穿孔すべき紙とともに基台１１に対して水平な平行状態を維持して下降する。紙載置台１２の下降時において、同紙載置台１２に載置した図示せぬ穿孔すべき紙は、紙載置台１２の一部を構成するカバー体１６と刃受板２０との間で上下に強固に挟持されながら、前記穿孔刃３０によって穿孔されることになる。なお、移動手段として、上下方向に平行に移動する構造であればよく、本発明は図示例に限定されるものではないことは勿論である。
【００８８】
前記紙載置台１２の下面における前部寄りには、図１に示すように、前記基台１１に形成された突部１１ｂに対応する位置に、摺動案内孔１２ｅ−１を有する矩形板状の垂直壁部１２ｅが下方向に向けて直角に屈曲して形成されている。紙載置台１２の前記凹状切欠部１２ｃに隣接して同じ方向に折り曲げられて相対向する左右側壁部には、案内バー１２ｆが架橋して固設されている。
【００８９】
同案内バー１２ｆの両側の露呈端部が、前記基台１１の支持壁１３の対向面に形成された縦長凹状の案内凹状部１３ａに摺動案内されるようにしている。  前記紙載置台１２の後部上面には、図１に示すように、略逆Ｌ字状をなす左右一対のストッパー部材１８，１８が立設されており、各ストッパー部材１８の屈曲先端部が、前記昇降体１４の中間部に形成された左右一対の縦長のスリット状開口１４ｂ，１４ｂに差し込まれている。
【００９０】
スリット状開口１４ｂの上下側の各開口端は、それぞれ前記昇降体１４の移動を阻止する上昇限位置と下降限位置とに対応して形成され、昇降体１４が必要以上に昇降するのを規制する昇降規制部としての機能を備えている。これらの構成により、紙載置台１２は刃受板２０の接近動作と協動して左右方向にぶれることなく昇降動することができる。この実施形態では、別体に形成された２個のストッパー部材１８を並列して配する構成を例示しているが、例えば各ストッパー部材１８の屈曲先端部間に連結板を有する枠体形状に形成してもよい。
【００９１】
なお、本実施形態では、紙載置台１２の前記摺動案内孔１２ｅ−１及び前記案内バー１２ｆと基台１１の前記突部１１ｂ及び前記案内凹状部１３ａとの間で紙載置台１２が昇降する一例を例示したが、本発明は図示例に限定されるものではなく、例えば基台１１及び紙載置台１２のいずれか一方に形成された切欠きや凹部、孔部、筒部と、紙載置台１２及び基台１１のいずれか他方に形成された突部や嵌入ピン、ロッドとにより構成することができるものである。
【００９２】
この構成は、紙載置台１２を正確に且つ安定して誘導案内することができる。その結果、各リンクのこじれや変形等を防止することができるとともに、左右のぶれを防止しながら、円滑に回転することができるようになり、リンク機構５０の品質を長期間にわたり確保している。また、これらの部材の設置位置や設置数などは、図示例に限定されるものではないことは勿論である。
【００９３】
本発明の第１の主要な特徴部とするところは、前記刃受板２０が孔明け装置本体に嵌脱自在に配されていることにある。本実施形態による紙の孔明け装置１０は、前記刃受板２０が孔明け装置本体の一部を構成する昇降体１４の下部底面に嵌脱自在に配されている。図４は同昇降体の要部を縦方向に切り欠いて示す要部縦断面図、図５は図４のＶ−Ｖ線の矢視断面図である。
【００９４】
これらの図において、前記昇降体１４は縦長の直方体形をなすブロック体により構成されている。その昇降体１４の下端両側壁部（図１の紙面に直交する方向）には、前記刃受板２０の支持軸２２を前記円盤状本体２１とフランジ部２３との間で嵌挿支持する嵌脱部を構成する支持板２４が、その板面を前記昇降体１４の下部底面と平行に且つ所定の間隔をおいて延設されている。また、昇降体１４と支持板２４との間には前記フランジ部２３を収容する収容空間１４ｃが形成されている。
【００９５】
前記支持板２４には、前記刃受板２０の支持軸２２を挿入する矩形をなす挿入開口２４ａ（図９）が形成され、同挿入開口２４ａと同一平面上で連通して前記支持軸２２を支持するスリット状開口２４ｂ（図９）が形成されている。前記フランジ部２３の頂部には係脱凹部２２ａが形成されている。前記刃受板２０と支持板２４との係脱に前記収容空間１４ｃ内で前記係脱凹部２２ａと係脱する刃受板係脱部が使われている。
【００９６】
この刃受板係脱部は、刃受板２０を案内板２４に位置決め支持する係脱部材２５と、同係脱部材２５を上下方向に移動させる係脱部材操作部とを有している。同係脱部材操作部は、操作ノブ２６と、前記係脱部材２５と刃受板２０とを係脱する短冊状の揺動片２７とを有している。
【００９７】
前記昇降体１４の両側壁部には、前記収容空間１４ｃの周面と一致する縦長のスリット状孔１４ｄが形成されており、同スリット状孔１４ｄに前記操作ノブ２６が上下動自在に固設されるとともに、前記揺動片２７の自由端部の上面に弾性的に支持されている。
【００９８】
このように、昇降体１４の下端両側壁部に前記フランジ収容空間１４ｃと支持板２４とを有するとともに、前記フランジ収容空間１４ｃで前記刃受板２０の回転軸の軸端を係脱する係脱部材２５を有している。このため、刃受板２０を前記フランジ収容空間１４ｃに向けて平行に一直線上に挿脱することができるようになり、刃受板２０の挿脱を常に安定して確実に行うことができる。
【００９９】
前記係脱部材２５は、図４及び図５に示すように、大径の円筒部２５ａと小径のロッド部２５ｂとにより構成されている。前記ロッド部２５ｂは段差面を介して前記円筒部２５ａと同一中心軸線上に形成されている。前記ロッド部２５ｂのロッド端には、前記刃受板２０の係脱凹部２２ａに脱着可能な同一形状をもち、下方向に突出するボール状係脱突起２５ｂ−１を有している。前記昇降体１４の下部底面には、前記係脱部材２５を上下移動自在に支持する縦長の支持空間部１４ｅが貫通して形成されている。
【０１００】
前記支持空間部１４ｅは、図４に示すように、前記係脱部材２５の段差面に当接して上下移動を規制する円形支持面を有する段部をもつ階段形状をなしている。前記係脱部材２５の段差面は、前記支持空間部１４ｅの円形支持面に圧縮バネ２８のばね力に抗して上下方向に移動自在に弾性的に位置決め支持される。また、前記係脱部材２５の係脱突起２５ｂ−１は、前記刃受板２０の係脱凹部２２ａに嵌入されている。
【０１０１】
前記揺動片２７は、図４に示すように、前記支持空間部１４ｅを横切って前記フランジ収容空間１４ｃと平行に形成された横貫通孔１４ｆから前記フランジ収容空間１４ｃと垂直面上で直交して合流する縦長の操作空間部１４ｇにわたり挿入されており、前記横貫通孔１４ｆの中間位置を揺動支点として前記係脱凹部２２ａに向けて弾性的に揺動する。
【０１０２】
前記係脱部材２５は、図４に示すように、前記圧縮バネ２８のばね力により常に下方に向けて付勢されている。この圧縮バネ２８の押下げ力は、前記係脱部材２５の円筒部２５ａが前記揺動片２７を介して前記支持空間部１４ｅの円形支持面に係止することにより受け止められ、揺動片２７の自由端部が前記操作ノブ２６を定位置に静止させている。操作ノブ２６を上下に摺動操作することにより、揺動片２７の中間位置を揺動支点として揺動し、前記刃受板２０の係脱凹部２２ａと前記係脱部材２５の係脱突起２５ｂ−１との係脱がなされる。
【０１０３】
このように、前記係脱部材２５を刃受板２０の挿脱方向に直交する方向に揺動可能に支持して刃受板２０を弾性的に係脱するようにしている。このため、操作ノブ２６を刃受板２０の挿脱方向と直交する下方向に操作することで、前記刃受板２０の係脱凹部２２ａと前記係脱部材２５の係脱突起２５ｂ−１との係脱が解除できる。簡単な構造でありながら、前記刃受板２０を常に円滑に且つ安定して確実に操作することができ、その取扱性も極めて容易であり、刃受板２０の挿脱を容易に行うことができる。
【０１０４】
なお、前記係脱部材２５を下方に付勢する前記圧縮バネ２８のばね力を予め設定しておいて、前記刃受板２０の係脱凹部２２ａと前記係脱部材２５のボール状係脱突起２５ｂ−１とを係着支持することで、前記刃受板２０を水平回転可能に支持することができることは勿論である。
【０１０５】
本実施形態の第２の主要な特徴部とするところは、前記穿孔刃３０を不動に支持する穿孔刃支持体３１が、孔明け装置本体に嵌脱自在に配されていることにある。本実施形態による孔明け装置１０は、前記穿孔刃支持体３１を前記基台１１に脱着自在に配している。
【０１０６】
図６〜図８に穿孔刃支持体３１の構造例を示している。図６は紙の孔明け装置の一部を構成する穿孔刃支持体の要部を示す要部縦断面図、図７は同穿孔刃支持体の平面図、図８は同穿孔刃支持体の裏面図である。なお、図６は図７のＶＩ−ＶＩ線の矢視断面を示している。
【０１０７】
これらの図において、穿孔刃支持体３１はダイキャスト製の成形品からなり、偏平な上面部の前後及び左右に形成された壁部を有する下面を開放した長い矩形殻体により構成されている。この穿孔刃支持体３１の挿脱ガイド部として、図７に示すように前記基台１１の左右方向（図１の紙面に直交する方向）の両側部に前記穿孔刃支持体３１の幅と略同一寸法をもつ前後一対の略逆Ｌ字状ガイド片１１ｃ，１１ｃが、それぞれ基台１１の左右方向にわたり間欠的に形成されるとともに、穿孔刃支持体３１の係着部として、図６に示すように、基台１１の前記ガイド片１１ｃ間に上下に貫通する係着孔部１１ｄが穿設されている。
【０１０８】
前記穿孔刃支持体３１の左右壁部の下端縁には、図７に示すように前記ガイド片１１ｃに脱着するフランジ３１ａ，３１ａが形成されている。この穿孔刃支持体３１の内部には、前記穿孔刃３０の基端部３０ａを下方から差し込んで嵌着支持するための差込開口を有する円筒状の構造をもつ穿孔刃支持部３２が形成される。更に、基台１１の前記係着孔部１１ｄに対応する位置に矩形筒状の構造をもつ挿脱空間部３３が形成されている。
【０１０９】
前記穿孔刃支持部３２内には、図８に示すように穿孔刃３０の抜けを防止するための押さえ板バネ３４の一端が固設されており、その自由端が前記穿孔刃３０の基端部３０ａに弾性的に当接して支持するように配されている。
【０１１０】
前記挿脱空間部３３内には、図６に示すように挿脱操作部を構成する略横Ｌ字状断面の揺動部材３５がその屈曲部分を回動中心として水平軸線周りに回動自在に固定支持されている。この揺動部材３５は、揺動支点側に配された矩形板状の操作片３５ａと、同操作片３５ａに直交して揺動方向に延設された係脱部材３５ｂとを有している。
【０１１１】
同係脱部材３５ｂの上面と前記穿孔刃支持体３１の内部上面とに対向して形成された円形状断面をもつ上下一対の凹部間には、圧縮バネ３６が介装されており、前記係脱部材３５ｂは前記圧縮バネ３６のばね力により常に下方に向けて付勢されている。
【０１１２】
前記係脱部材３５ｂの揺動端の下面には、図６に示すように基台１１の前記係着孔部１１ｄに嵌入可能な高さをもって係脱突起３５ｂ−１が突設されている。穿孔刃支持体３１が基台１１の差込限位置にあるとき、前記係着孔部１１ｄには前記係脱突起３５ｂ−１が弾性的に嵌入して係着される。穿孔刃支持体３１を基台１１から引き出すとき、その引き出し方向と同一方向に前記操作片３５ａを押すことにより、前記係着孔部１１ｄと前記係脱突起３５ｂ−１との係合が弾性的に解除されるように構成している。
【０１１３】
このような構成は、前記穿孔刃支持体３１の挿脱方向に直交する方向に揺動可能に支持された係脱部材３５ｂの係脱突起３５ｂ−１を前記係着孔部１１ｄに弾性的に係脱するようにしている。このため、前記操作片３５ａを前記穿孔刃支持体３１の抜脱方向と同一方向に操作することで、前記係着孔部１１ｄと前記係脱突起３５ｂ−１との係合が容易に解除でき、その交換作業を速やかに行うことができる。
【０１１４】
このように、前記穿孔刃支持体３１の構造をコンパクトに形成することができるので、装置全体の小型化や縮小化が確実に達成できる。また、穿孔刃支持体３１の引き出し方向と同一方向に前記操作片３５ａを押すことにより、前記係着孔部１１ｄと前記係脱突起３５ｂ−１との係合が自動的に解除される。
【０１１５】
これによって、簡単な構造でありながら、基台１１に対して穿孔刃支持体３１を常に円滑に且つ安定して確実に操作することができ、その取扱性も極めて容易である。
【０１１６】
更に、本実施形態に係る紙の孔明け装置１０は、前記穿孔刃３０の内部に滞留する図示せぬ円形の紙穿孔屑の落下を抑制する落下抑制機構が使われている。この落下抑制機構は、図６に示すように板バネ材４０を有している。前記基台１１の一部は、図１に示すように長さ方向の端部が開口するケース状に形成されており、その空間部を屑収集容器６０の収容空間部としている。
【０１１７】
前記基台１１の穿孔刃３０の基端部３０ａの固設位置には、前記屑収集容器６０の収容空間部の上下に貫通して紙穿孔屑落下用の開口１１ｅが形成されている。前記板バネ材４０の本体側は、基台１１上に取付ビスにて締付固定されており、その自由端部は下方に屈曲して基台１１の開口１１ｅと穿孔刃３０の基台支持側の開口端部６６ａとの間に介装されている。
【０１１８】
前記穿孔刃３０内を押し込まれて落下しようとする紙穿孔屑は、前記板バネ材４０の上面に積載貯留され、そのバネ力により紙穿孔屑の落下が抑えられる。紙の穿孔操作を繰り返すと、所定量の紙穿孔屑が前記穿孔刃３０内に溜まる。穿孔刃３０内に積載貯留されている紙穿孔屑が前記板バネ材４０のバネ力に打ち勝つと、紙穿孔屑は前記板バネ材４０をばね力に抗して下方に押し下げ、前記穿孔刃３０の基端部側の開口から落下する。落下した紙穿孔屑は前記屑収集容器６０内に直接収容される。
【０１１９】
このように、前記板バネ材４０を介して穿孔刃３０内に滞留する穿孔屑の落下を抑制できるため、穿孔刃３０の穿孔時や交換時、或いは前記屑収集容器６０の引き出し時などに、穿孔刃３０内に滞留している紙穿孔屑が穿孔刃３０の基端部側の開口から外部に落下して飛散することが防止できる。
【０１２０】
このため、穿孔刃３０内に滞留している紙穿孔屑が外部に飛散することや、或いは上記接離手段などの周辺機構に付着して操作性を悪化させることを防止することができる。従って、紙載置台１２や図示せぬ作業台を常に綺麗な状態に保つことができるとともに、装置の操作性を高めて紙の穿孔作業を速やかに且つ容易に行うことができる。
【０１２１】
本実施形態の第３の主要な特徴部は、刃受板２０を一定方向に所定の角度回転させる自動回転機構７０を備えていることである。本実施形態にあっては、前記昇降体１４の上下移動に連動して前記刃受板２０を所定の角度回転させる自動回転機構７０を前記支持板２４と昇降体１４との間に形成された前記フランジ収容空間１４ｃに配している。
【０１２２】
図９は刃受板の自動回転機構の要部を横方向に切り欠いた要部横断面図であり、同自動回転機構の内部構造を概略的に示している。
【０１２３】
同図において、前記刃受板２０の自動回転機構７０は、前記支持板２４に各刃受板２０のフランジ部２３と同一平面上に配された左右一対の矩形板状の係脱部材７１，７１と、同係脱部材７１と直交する方向に配された刃受板２０の戻り止め部材７２，７２とを有している。前記係脱部材７１には長孔７１ｂが形成されており、同長孔７１ｂと前記支持板２４の上面に突設された突出ピン２４ｃとが係合されている。
【０１２４】
前記刃受板２０のフランジ部２３の外周に形成されたギア２３ａと対向する前記係脱部材７１の側面には、ギア２３ａの回転方向に延出する弾性係合爪７１ａを有しており、同弾性係合爪７１ａの先端係合面が前記ギア２３ａと係合している。この係脱部材７１は、各支持壁１３の対向面間に固設された図１及び図３に示すカム板１９のカム面によって、昇降体１４に向けて弾性的に押圧されるように構成されている。
【０１２５】
従って、昇降体１４の上下移動と連動して前記弾性係合爪７１ａの先端係合面が前記ギア２３ａに係合する方向に移動し、同先端係合面とギア２３ａとが係合する。また、前記弾性係合爪７１ａがカム板１９のカム面により押圧されて図９の下方向に移動し、ギア２３ａを１ピッチ回転させ、同ギア２３ａを介して刃受板２０を１ピッチ分回転させることができる。
【０１２６】
前記戻り止め部材７２の前記ギア２３ａと対向する側面には、ギア回転方向と反対側に延出する弾性係合爪７２ａを有しており、同弾性係合爪７２ａの先端係合面が前記ギア２３ａの逆回転を阻止すべくギア２３ａと係合している。
【０１２７】
前記係脱部材７１には、前記支持板２４との間に張設された圧縮バネ７３が介装されており、同圧縮バネ７３のばね力により常に昇降体１４の外方に向けて付勢されている。前記圧縮バネ７３のばね力は、係脱部材７１の前記長孔７１ｂに受け止められ、前記ギア２３ａが静止している。
【０１２８】
いま、前記昇降体１４が下降すると、前記係脱部材７１は各支持壁１３の対向面間に固設されたカム板１９から離れて前記圧縮バネ７３のばね力により外方に向けて付勢される。このときも、前記戻り止め部材７２の弾性係合爪７２ａは前記ギア２３ａに係合されている。このため、前記係脱部材７１の弾性係合爪７１ａを前記ギア２３ａとの係合を解除する拡開方向に弾性変形させながら、前記ギア２３ａが前記係脱部材７１の弾性係合爪７１ａの先端係合面を通過する。この弾性係合爪７１ａの弾性に抗した変形がギア間に弾性復帰し、ギア２３ａと弾性係合爪７１ａとの係合がなされる。この噛合状態で、それ以上の回転が阻止されることになり、前記刃受板２０の回転が阻止される。
【０１２９】
これとは逆に昇降体１４が上昇すると、前記係脱部材７１は前記カム板１９のカム面によって昇降体１４の内部に向けて弾性的に押圧される。このとき、前記戻り止め部材７２の弾性係合爪７２ａが、前記ギア２３ａから離れて戻り止め部材７２及びギア２３ａの係合状態が解除される。この解除時に、前記係脱部材７１の弾性係合爪７１ａが前記ギア２３ａを押して、刃受板２０が所定の回転角度をもって１ピッチ分だけ自動的に回転する。
【０１３０】
上記実施形態によれば、前記刃受板２０の上下移動に連動して、同刃受板２０を所定の角度で回転させる構成を備えているため、従来のように複雑な連動機構を排除することが可能となり、前記刃受板２０と同一平面上に簡単な構造の自動回転機構７０を集約化してコンパクトに配することができる。
【０１３１】
なお、上記実施形態では、前記ギア２３ａと弾性係合爪７１ａとを配した自動回転機構７０の構造例を挙げているが、本発明は上記図示例に限定されるものではなく、例えば前記刃受板２０を回転させることができ、且つ刃受板２０に係脱する構造であればよく、その構造や形態等は特に限定されるものではない。
【０１３２】
前記係脱部材として、例えば弾性係合爪と同様にラチェット爪などの爪部を有する各種の構造を採用することができる。また、前記ギア２３ａは、刃受板２０の周縁に形成することができる。前記係脱部材７１として、例えばラチェット歯と弾性的に係合・解除する一般的な作動爪を使用することができる。
【０１３３】
従って、前記係脱部材７１は単純な矩形板片に近い構造でよく、複雑な構造に形成することがなくなる。複雑な連動機構を排除することができるため、自動回転機構７０の構成部品の削減と相まって組立費、製作費や材料費の低コスト化が実現できるとともに、装置全体の小型化、縮小化、軽量化や薄型化を確実に達成することができる。
【０１３４】
また、上記自動回転機構７０を採用すると、簡単な構造でありながら、紙の穿孔位置、穿孔の大きさや形態などを常に正確に且つ安定して保証することができるようになり、刃受板２０や穿孔刃３０の品質を高め、その使用時の安全性や信頼性等を著しく向上させることができ、更にはその取扱性も容易である。
【０１３５】
更に、本実施形態の第４の主要な特徴部は、屑収集容器６０の構造、形態にある。本実施形態である紙の孔明け装置１０は、前記穿孔刃３０の基端部筒内から排出される紙穿孔屑を収集する合成樹脂製の屑収集容器６０を基台１１の容器収容空間内に脱着自在に収容している。
【０１３６】
図１０及び図１１は屑収集容器を示している。これらの図において、屑収集容器６０は、円弧状に湾曲する凹面状の円弧面６１ａの前後に引き出し側及び差し込み側の平坦な上壁面を有する天井壁部６１に前後側壁部６２，６３、左右側壁部６４，６４及び底壁部６５を備えている。この屑収集容器６０の前記前側壁部６２及び左右側壁部６４の隅角部分には、前記底壁部６５の底面に向けて円弧面状に湾曲した断面をもつ左右一対の膨出部６６，６６が突設されている。その膨出部６６の上面が矩形をなす紙穿孔屑の導入口６６ａとされている。
【０１３７】
この導入口６６ａは、容器装着時に、図１及び図６に示すように、前記穿孔刃３０の基端部３０ａの開口端部に対応して形成された基台１１の上記開口１１ｅの直下に配される。従って、前記屑収集容器６０内に、穿孔刃３０内に滞留している紙穿孔屑を押し込みながら直接落下させることができるため、紙穿孔屑が紙載置台１２の周辺部に落下して散乱することはなくなり、紙載置台１２や作業台を汚したり、周辺機構に付着して操作性を悪化させることを防止できる。
【０１３８】
前記天井壁部６１の引き出し側の上壁面は、図１０及び図１１に示すように、上下方向に開閉する開閉蓋体６７からなる。この開閉蓋体６７は、前記天井壁部６１の凹面状上壁面６１ａの頂点に隣接する左右側壁部６４にヒンジ部６７ａを介して回動自在に支持されるとともに、係合部６７ｂを介して開閉自在に固定されている。この係合部６７ｂは、前記開閉蓋体６７又は前記左右側壁部６４のいずれか一方に形成された係合凹部と、前記左右側壁部６４又は前記開閉蓋体６７のいずれか他方に形成された突部とから構成されている。
【０１３９】
前後側壁部６２，６３、左右側壁部６４及び底壁部６５の隅角部分６８と前記円弧面状の上壁面６１ａとは、凹状に湾曲する曲面に形成されている。屑収集容器６０の内部は、前記導入口６６ａ側から前記開閉蓋体６７側に向けて次第に拡開するように形成されている。
【０１４０】
屑収集容器６０の内部は、紙穿孔屑の導入口６６ａを除いて天井壁部６１にて完全に隠蔽して外部に露呈しないように構成されている。このため、装置の運搬時、屑収集容器６０の引き出し時に、屑収集容器６０内に収容されている紙穿孔屑が散乱して作業台を汚したり、各機構に付着して操作性を悪化させることを防止することができる。
【０１４１】
また、屑収集容器６０の内部は、前記開閉蓋体６７側に向けて湾曲する曲面に形成されているため、前記穿孔刃３０の基端部３０ａの下面開口端から屑収集容器６０に収集された紙穿孔屑を前記曲面に沿って紙穿孔屑導入口６６ａ側から開閉蓋体６７側に向けて円滑に、容易に且つ確実に移動させることができるようになる。その結果、屑収集容器６０が満杯になると、紙穿孔屑の塊が前記ヒンジ部６７ａを回動中心として開閉蓋体６７を上方に押し上げる。このため、穿孔刃３０内に紙穿孔屑が詰まることを防止することができ、穿孔刃３０の変形や破損などが防止できる。
【０１４２】
本実施形態では、前記穿孔刃３０が基台１１に不動に配されるため、前記屑収集容器６０内に、前記穿孔刃３０内に滞留している紙穿孔屑を直接押し込みながら落下させることができるようになる。その結果、紙穿孔屑が紙載置台１２やその周辺部に落下して散乱することはなくなり、紙載置台１２やその周辺部を汚し、周辺機構に付着して操作性を悪化させることを防止することができるようになる。このため、常に紙の清掃作業を行うことなく、一枚以上の紙の穿孔作業を迅速に、円滑に且つ容易に行うことができるようになる。
【０１４３】
更に、本実施形態の第５の主要な特徴部とするところは、紙の穿孔位置を任意に変更できる紙当て部材８０を備えていることである。本実施形態による紙の孔明け装置１０は、前記紙載置台１２に紙当て部材８０を備えている。
【０１４４】
図１２〜図１４に紙当て部材８０を示している。図１２は同紙当て部材を概略的に示す横断面図、図１３は同紙当て部材の起立した状態を概略的に示す要部縦断面図、図１４は同紙当て部材の倒伏した状態を概略的に示す要部縦断面図である。
【０１４５】
これらの図において、前記紙載置台１２の左右両側端部には、共通の図示せぬピニオンと噛合する前後一対のサイドゲージラック８１が基台１１の左右方向に向けて互いに反対側に移動可能に配されている。各サイドゲージラック８１の先端面には、紙当て部材８０が支持軸８０ａを介してサイドゲージラック８１に対して直交する方向に回動自在に支持されている。
【０１４６】
前記紙当て部材８０にはサイドゲージラック８１の先端を収容する凹状の嵌着開口８０ｂが形成されるとともに、同嵌着開口８０ｂの一面からサイドゲージラック８１の長さ方向の軸線上に向けて連通する平面視で矩形空間部８０ｃが形成されている。
【０１４７】
この矩形空間部８０ｃ内には、サイドゲージラック８１の先端面に弾性的に当接させ、サイドゲージラック８１に対して直交する起立位置とその長さ方向の軸線上にある倒伏位置との２位置に前記紙当て部材８０を位置決めするストッパー部材８２が圧縮バネ８３を介して収容されている。
【０１４８】
前記サイドゲージラック８１の先端部下端側の隅角部は、図１３及び図１４に示すように、紙当て部材８０の第１の回動案内面８１ａを有するとともに、前記紙当て部材８０は前記サイドゲージラック８１に対する第２の回動案内面８０ｄを有している。各回動案内面８０ｄ，８１ａは、それぞれ前記支持軸８０ａを中心とする円弧面状の断面をもち、前記サイドゲージラック８１に対して紙当て部材８０が円滑に回動するように構成されている。
【０１４９】
前記紙当て部材８０が倒伏状態から、前記紙当て部材８０をサイドゲージラック８１に対して直交する起立方向に回動操作すると、紙当て部材８０は、圧縮バネ８３のばね力に抗して前記サイドゲージラック８１の先端面に押圧した状態で起立する。つまり、前記ストッパー部材８２が前記サイドゲージラック８１の上端隅角部を乗り越えると同時に、前記紙当て部材８０は圧縮バネ８３を介して前記サイドゲージラック８１の先端部上面に係合される。この係合状態にあるとき、前記紙当て部材８０を更に回動操作しようとしても、サイドゲージラック８１の先端部上面にストッパー部８２が当接して、紙当て部材８０のそれ以上の回動が規制される。
【０１５０】
穿孔数を任意に選択して孔を形成する一例として、例えば２孔形成用の孔明け装置１０を使って、Ａ４の紙に４つの孔を同一直線上に形成するにあたり、各紙当て部材８０のうち一方の紙当て部材８０をサイドゲージラック８１に対して起立姿勢に保持するとともに、他方の紙当て部材８０をサイドゲージラック８１に対して倒伏姿勢に保持する。次いで、起立した紙当て部材８０の紙当て面にＡ４の紙の上端を位置決めしてパンチすることにより、Ａ４の紙の所定の位置に２つの孔を形成する。次に、そのＡ４の紙を２つの孔に沿って裏返して起立した紙当て部材８０の紙当て面にＡ４の紙の下端を位置決めしたのちパンチする。こうして、Ａ４の紙に４つの孔が所定の間隔をもって同一直線上に形成できる。
【０１５１】
なお、Ａ４の紙に２つの孔を明けたのち、そのＡ４の紙を裏返すことなく、起立した紙当て部材８０を倒すとともに、他方の倒伏した紙当て部材８０を起立させ、上記操作と同様の操作を繰り返すことによりＡ４の紙に４つの孔を所定の間隔をもって同一直線上に形成することもできる。
【０１５２】
このような紙当て部構造は、一対のサイドゲージラック８１が基台１１の左右方向に向けて、互いに反対方向に移動可能に配されているため、穿孔すべき紙の中心を位置決めすることができることは当然として、前記ストッパー部材８２を介して各サイドゲージラック８１の紙当て部材８０をサイドゲージラック８１に対して直交する起立位置とその長さ方向の軸線上にある倒伏位置との２位置に独立して位置決めすることができる。
【０１５３】
このため、穿孔すべき紙の大きさにかかわらず、紙の上端又は下端を基準として同一の穿孔位置や穿孔数を任意に選択して孔を形成することができる。その結果、所望の整理形態、例えばＡ４の紙の下端とＢ５の紙の下端とを揃えた形態、或いはＡ４の紙の上端とＢ５の紙の上端とを揃えた形態をもってファイルに書類を整理してつづり込むことが可能となる。
【０１６５】
次に、図１５〜図１８を参照しながら、本実施形態に好適な穿孔刃支持体の変形例を説明する。図１５は同穿孔刃支持体の上面からみた外郭形態を、図１６及び図１７は同穿孔刃支持体の内部構造例を、図１８は同穿孔刃支持体の下面からみた外郭形態をそれぞれ概略的に示している。図１６は図１５のＸＶＩＩＩ−ＸＶＩＩＩ線の矢視断面図であり、図１７は図１５のＩＸ−ＩＸ線の矢視断面図である。なお、これらの図において上記穿孔刃支持体の実施形態と実質的に同じ部材には同一の部材名と符号とを付している。
【０１６６】
これらの図において、図示例による穿孔刃支持体３１は、揺動部材３７の揺動支点側を左右両側から上下に押圧操作することにより基台１１との係合を解除している点で、図６に示す揺動部材３５とは異なっている。図示例による穿孔刃支持体３１は、図６に示す穿孔刃支持体と同様に、偏平な下面部の前後及び左右に形成された壁部を有する下面を開放した長い矩形殻体により構成されている。
【０１６７】
この穿孔刃支持体３１の左右壁部には、図１５に示すように前記基台１１に挿脱するためのフランジ３１ａ，３１ａが形成されている。前記穿孔刃支持体３１の内部には、図１６に示すように前記穿孔刃３０の基端部３０ａを下方から差し込んで嵌着支持するための差込開口を有する円筒状の穿孔刃支持部３２が形成されるとともに、基台１１の上記係着孔部１１ｄ（図６）に対応する位置に矩形筒状の構造をもつ挿脱空間部３３が形成されている。
【０１６８】
前記穿孔刃支持部３２内には、図９に示す押さえ板バネ３４に代えて、穿孔刃３０の抜けを防止するための略逆Ｌ字状断面をなす抜止め部材３４ａが、その垂直部分の下端を回動中心として水平軸線周りに回動自在に固定支持されており、その垂直部分に直交して揺動方向に水平に延設された揺動端が外部に露呈して配されている。
【０１６９】
前記脱着空間部３３内には、図１６に示すように挿脱操作部を構成する揺動部材３７が、その中間部分を回動中心として水平軸線周りに回動自在に固定支持されている。同揺動部材３７の揺動端側には、係脱部である係脱部材３８が配されるとともに、その揺動支点側には挿脱操作部である左右一対の操作部材３９が配されている。
【０１７０】
前記係脱部材３８は、図１６に示すように圧縮バネ３８ａと同圧縮バネ３８ａを介装した大径の円筒状本体３８ｂと小径の係止突起３８ｃとにより構成されている。その円筒状本体３８ｂが、前記抜止め部材３４ａの揺動端と前記揺動部材３７の揺動端との間で弾性的に当接して支持されている。前記係脱部材３８は前記脱着空間部３３に常に下方に向けて弾性的に支持されるとともに、前記抜止め部材３４ａの垂直部分は前記穿孔刃３０の基端部３０ａに向けて常に弾接されている。
【０１７１】
前記操作部材３９は、図１７及び図１８に示すように、図示せぬ圧縮バネを介して穿孔刃支持体３１の前記脱着空間部３３に対応する左右側壁部に進退自在に配されている。各操作部材３９は左右ともに同様の構造からなる。各操作部材３９には、フック片３９ａと、同フック片３９ａに直交して隣接され、下面に先端に向けて上傾斜する斜面をもつ突片３９ｂとがそれぞれ突設されている。前記フック片３９ａの先端係合面は前記圧縮バネのばね力に抗して穿孔刃支持体３１の側壁部の内面に常に弾性的に支持されている。
【０１７２】
前記揺動部材３７は、図１６及び図１８に示すように、その本体の揺動方向に延設され、前記係脱部材３８の係止突起３８ｃに弾性的に嵌入係着される二股状差入部３７ａと、その本体の揺動支点側の上端面に前記操作部材３９における突片３９ｂの斜面に当接して案内される矩形板状の操作片３７ｂとを有している。
【０１７３】
いま、前記穿孔刃支持体３１を基台１１から抜脱するとき各操作部材３９を同時に押すと、前記揺動部材３７の中間部分を揺動支点として前記操作片３７ｂが操作部材３９の突片３９ｂの傾斜面に沿って押し下げられるとともに、その揺動部材３７の二股状差入部３７ａが前記係脱部材３８をばね力に抗して押し上げる。これにより、基台１１に対する前記係脱部材３８の係止突起３８ｃの係合が解除される。
【０１７４】
このとき、前記抜止め部材３４ａの垂直部分の下端を回動中心として前記揺動端がばね力に抗して押し上げられ、前記抜止め部材３４ａの垂直部分が前記穿孔刃３０の基端部３０ａに強く圧接するため、前記穿孔刃支持体３１を基台１１から抜脱とき前記穿孔刃３０の脱落を防止することができる。
【０１７５】
この実施形態にあっても、前記穿孔刃支持体３１の挿脱方向に直交する方向に揺動可能に支持された揺動部材３７を介して前記係脱部材３８に弾性的に係脱するようにしているため、前記操作部材３９を前記穿孔刃支持体３１の抜脱方向と直交する水平方向に押圧操作することで、前記基台１１と前記係脱部材３８との係合状態を自動的に解除することができ、その交換作業を速やかに行うことができる。
【０１７６】
図１９を参照すると、本発明に好適な穿孔刃支持体の他の変形例が示されている。図１９は同穿孔刃支持体の要部を縦方向に切り欠いて示している。なお、同図において上記穿孔刃支持体の実施形態と実質的に同じ部材には同一の部材名と符号とを付している。
【０１７７】
同図において、図６に示す穿孔刃支持体３１と異なるところは、図９に示す押さえ板バネ３４及び図１６に示す抜止め部材３４ａに代えて、前記揺動部材３５における係脱部材３５ｂの揺動先端面に弾接片３４ｂが上方に向けて延設されていることである。同弾接片３４ｂの自由端は前記穿孔刃３０の基端部３０ａに弾性的に当接して支持するようになっている。
【０１７８】
このように、前記弾接片３４ｂの存在により、組立部品点数を少なくすることができるとともに、穿孔刃支持体３１を安価に製作することができるようになり、穿孔刃支持体３１の全体構造をコンパクトに形成することができる。
【０１７９】
本実施形態では、前記昇降体１４が前記基台１１に向けて接近・離間可能に配された紙の孔明け装置１０を例に挙げて説明したが、本発明はこれに限定されるものではなく、例えば前記昇降体１４を前記支持壁１３に向けて接近・離間可能に配することができる。この構造例として、図２０は紙の孔明け装置の変形例を示している。なお、同図において上記実施形態と実質的に同じ部材には同一の部材名と符号とを付しているため、これらの詳細な説明は省略する。
【０１８０】
図２０に示す紙の孔明け装置１０は、前記支持壁１３の基台対向面に向けて接近・離間する昇降体１４に穿孔刃３０を固定支持している。一方、支持壁１３の基台対向面には前記刃受板２０が、前記穿孔刃３０の上端刃先部に対して偏心位置に対向して配されており、垂直軸線周りに回転可能に支持されている。この変形例による紙の孔明け装置１０にあっても、上記刃受板嵌脱機構、上記穿孔刃の脱着機構、上記刃受板自動回転機構、上記屑収集容器、上記紙当て部材を配することができる。
【０１８１】
以上は本発明の好適な実施形態を例示したものであり、例えば上記刃受板嵌脱機構、上記穿孔刃の脱着機構、上記刃受板自動回転機構、上記屑収集容器の構造や形態、上記紙当て部材倒伏機構の全てを具備する必要はなく、昇降体１４の設置位置、前記刃受板２０や前記穿孔刃３０の相対移動など他の要因との関係で、上記刃受板嵌脱機構、上記穿孔刃の脱着機構、上記刃受板自動回転機構、上記屑収集容器の構造や形態、上記紙当て部材倒伏機構のいずれか一つ、或いはそれらの任意の組合せによっても、本発明の目的を充分に達成することができることは勿論である。従って、本発明は上記実施形態や変形例に限定されないことは当然であり、各請求項に記載した範囲内で様々に設計変更が可能である。
【０１８２】
本発明の紙の孔明け装置は、一般的な紙に対する孔明け以外にも合成樹脂等により製造されたフィルムや薄板状のシート等に対しても孔明けを行うことができるものである。
【図面の簡単な説明】
【０１８３】
【図１】本発明の代表的な実施形態を示す紙の孔明け装置の要部を縦方向に切り欠いて概略的に示す全体側面図である。
【図２】同孔明け装置の一部を構成する部品の分離した状態を示す斜視図である。
【図３】同孔明け装置の背面図である。
【図４】同昇降体の要部を縦方向に切り欠いて示す要部縦断面図である。
【図５】図４のＶ−Ｖ線の矢視断面図である。
【図６】同穿孔刃支持体の要部を縦方向に切り欠いて示す要部縦断面図である。
【図７】同穿孔刃支持体の平面図である。
【図８】同穿孔刃支持体の裏面図である。
【図９】同刃受板の自動回転機構の要部を横方向に切り欠いて内部構造を概略的に示す要部横断面図である。
【図１０】同屑収集容器の側面図である。
【図１１】同平面図である。
【図１２】同紙当て部材を概略的に示す横断面図である。
【図１３】同紙当て部材の起立した状態を概略的に示す要部縦断面図である。
【図１４】同紙当て部材の倒伏した状態を概略的に示す要部縦断面図である。
【図１５】同穿孔刃支持体の変形例を示す上部平面図である。
【図１６】図１５のＸＶＩＩＩ−ＸＶＩＩＩ線の矢視断面図である。
【図１７】図１５のＩＸ−ＩＸ線の矢視断面図である。
【図１８】同穿孔刃支持体の下面からみた下部平面図である。
【図１９】同穿孔刃支持体の他の変形例を示す要部縦断面図である。
【図２０】同孔明け装置の変形例を示す説明図である。
【符号の説明】
【０１８４】
１０ 孔明け装置
１１ 基台
１１ａ 円弧状長孔
１１ｂ 突部
１１ｃ ガイド片
１１ｄ 係着孔部
１１ｅ 開口
１２ 紙載置台
１２ａ 上壁部
１２ｂ 側壁部
１２ｃ 凹状切欠部
１２ｄ 円弧状長孔
１２ｅ 垂直壁部
１２ｅ−１ 摺動案内孔
１２ｆ 案内バー
１３ 支持壁
１３ａ 案内凹状部
１４ 昇降体
１４ａ ラックギア
１４ｂ スリット状開口
１４ｃ フランジ収容空間
１４ｄ スリット状孔
１４ｅ 支持空間部
１４ｆ 横貫通孔
１４ｇ 操作空間部
１５ 操作ハンドル
１５ａ 回転軸
１５ｂ ピニオンギア
１６ カバー体
１６ａ 円弧状長孔
１７ バー部材
１８ ストッパー部材
１９ カム板
２０ 刃受板
２１ 円盤状本体
２２ 支持軸
２２ａ 係脱凹部
２３ フランジ部
２３ａ ギア
２４ 支持板
２４ａ 挿入開口
２４ｂ スリット状開口
２４ｃ 突出ピン
２５ 係脱部材
２５ａ 円筒部
２５ｂ ロッド部
２５ｂ−１ 係脱突起
２６ 操作ノブ
２７ 揺動片
２８ 圧縮バネ
３０ 穿孔刃
３０ａ 基端部
３０ｂ ロッド部
３１ 穿孔刃支持体
３１ａ フランジ
３２ 穿孔刃支持部
３３ 挿脱空間部
３４ 押さえ板バネ
３４ａ 抜止め部材
３４ｂ 弾接片
３５，３７ 揺動部材
３５ａ 操作片
３５ｂ，３８ 係脱部材
３５ｂ−１ 係脱突起
３６，３８ａ 圧縮バネ
３７ａ 二股状差入部
３７ｂ 操作片
３８ｂ 円筒状本体
３８ｃ 係止突起
３９ 操作部材
３９ａ フック片
３９ｂ 突片
４０ 板バネ材
５０ 平行リンク機構
５１ リンク
５２ 支持ロッド
５３ 引っ張りバネ
６０ 屑収集容器
６１ 天井壁部
６１ａ 円弧面
６２，６３ 前後側壁部
６４ 左右側壁部
６５ 底壁部
６６ 膨出部
６６ａ 導入口
６７ 開閉蓋体
６７ａ ヒンジ部
６７ｂ 係合部
６８ 隅角部分
７０ 自動回転機構
７１ 係脱部材
７１ａ，７２ａ 弾性係合爪
７１ｂ 長孔
７２ 戻り止め部材
８０ 紙当て部材
８０ａ 支持軸
８０ｂ 嵌着開口
８０ｃ 矩形空間部
８０ｄ，８１ａ 回動案内面
８１ サイドゲージラック
８２ ストッパー部材
８３ 圧縮バネ   
【図１】
0004332388.tif 000002
【図２】
0004332388.tif 000003
【図３】
0004332388.tif 000004
【図４】
0004332388.tif 000005
【図５】
0004332388.tif 000006
【図６】
0004332388.tif 000007
【図７】
0004332388.tif 000008
【図８】
0004332388.tif 000009
【図９】
0004332388.tif 000010
【図１０】
0004332388.tif 000011
【図１１】
0004332388.tif 000012
【図１２】
0004332388.tif 000013
【図１３】
0004332388.tif 000014
【図１４】
0004332388.tif 000015
【図１５】
0004332388.tif 000016
【図１６】
0004332388.tif 000017
【図１７】
0004332388.tif 000018
【図１８】
0004332388.tif 000019
【図１９】
0004332388.tif 000020
【図２０】
0004332388.tif 000021